(57)【特許請求の範囲】
【請求項１】
静電チャックプレートと、フィルタ装置と、直流電源とを有し、
前記静電チャックプレート内に設けられたチャック電極が、前記フィルタ装置を介して前記直流電源に接続され、
前記直流電源によって前記チャック電極に電圧を印加すると、前記静電チャックプレート上に載置された基板を静電吸着できるように構成された真空処理装置であって、
前記フィルタ装置は、高周波除去フィルタとバイパススイッチとを有し、
前記高周波除去フィルタは、前記直流電源の出力と前記チャック電極の間に挿入され、
前記バイパススイッチは、前記高周波除去フィルタに並列接続され、該バイパススイッチを閉成状態にすると、該バイパススイッチを介して、前記直流電源の電圧を前記チャック電極に印加できるように構成されたことを特徴とする真空処理装置。
【請求項２】
前記高周波除去フィルタには切断スイッチが設けられ、該切断スイッチを開放状態にすると、前記高周波除去フィルタを、前記直流電源又は前記静電チャックプレートのいずれか一方又は両方から切り離せるように構成されたことを特徴とする請求項１記載の真空処理装置。
【請求項３】
請求項１又は請求項２のいずれか１項記載の真空処理装置を用い、
前記バイパススイッチを開放状態にし、前記直流電源によって前記チャック電極に直流電圧を印加し、基板を前記静電チャックプレート上に静電吸着しながら前記基板に高周波電圧を印加し、前記基板表面にプラズマを発生させ、前記基板の処理を行う真空処理方法であって、
前記静電チャックプレート上に前記基板を載置する場合、又は前記静電チャックプレート上から前記基板を脱離させる場合のいずれか一方又は両方の場合において、前記バイパススイッチを閉成状態にし、前記直流電源に流出入する電流を測定し、前記基板の状態を判断することを特徴とする真空処理方法。
【請求項４】
前記直流電源に流出入する電流を測定する際に、前記切断スイッチを開放状態にすることを特徴とする請求項３記載の真空処理方法。
【発明の詳細な説明】
【０００１】
【発明の属する技術分野】
本発明は静電チャックプレートを有する真空処理装置にかかり、特に、ＲＦ電圧が印加される静電チャックプレートを有する真空処理装置に関する。
【０００２】
【従来の技術】
従来より、真空装置内には静電チャックプレートが配置されており、静電チャックプレート上に載置された基板を静電吸着し、真空雰囲気中でスパッタリングやＣＶＤ等の処理が行われている。
【０００３】
図４の符号１０４は、上記のような真空装置の従来技術のものを示しており、真空槽１３０を有している。真空槽１３０の天井にはプラズマ電極１３１が配置されており、底壁上には台座１３３が設けられている。該台座１３３上には、内部には、２枚のチャック電極１１１a、１１１bが配置された双極型の静電チャックプレート１１０が配置されている。
【０００４】
真空槽１３０の外部には、高周波電源１３２と、電流計１３４a、１３４bと、直流電源１３６a、１３６bとが配置されており、プラズマ電極１３１は高周波電源１３２に接続され、２枚のチャック電極１１１a、１１１bは、それぞれ電流計１３４a、１３４bを介して、直流電源１３６a、１３６bに接続されている。
【０００５】
直流電源１３６a、１３６bは、互いに逆の極性でチャック電極１１１a、１１１bに接続されており、一方のチャック電極１１１aには正電圧が、他方のチャック電極１１１bには負電圧が印加されるように接続されている。真空槽３０自体はグラウンド電位に置かれている。
【０００６】
台座１３３及び静電チャックプレート１１０内には、基板昇降機構１３８が配置されており、真空槽１１０内の真空雰囲気を維持しながら基板昇降機構１３８を動作させると、図示しない基板搬送ロボットと基板の受け渡しができ、また、静電チャックプレート１１０上に基板を着脱できるように構成されている。
【０００７】
この真空処理装置１０４を使用する際、先ず、真空槽１３０内に基板を搬入し、基板昇降機構１３８を動作させて基板を静電チャックプレート１１０上に載置する。
【０００８】
図４の符号１０８はその状態の基板を示しており、次いで、チャック電極１１１a、１１１bに正負の電圧を印加すると、基板１０８は静電チャックプレート１１０上に静電吸着される。
【０００９】
真空槽１３０内にスパッタリングガスやＣＶＤ反応の原料ガス等の所望のガスを導入した後、高周波電源１３２を起動し、電極１３１に高周波電圧を印加すると真空槽１３０内に導入したガスのプラズマが発生する。そのプラズマにより、基板１０８に対し、スパッタリングやＣＶＤ等の真空処理を行うことができる。
【００１０】
真空処理が終了すると、高周波電源１３２と直流電源１３６a、１３６bを停止させ、静電チャックプレート１１０への電圧印加を停止した後、基板昇降機構１３８を動作させ、基板１０８を静電チャックプレート１１０上から持ち上げ、未処理の基板と交換し、真空処理を続行する。
【００１１】
上記のように静電チャックプレート１１０への電圧印加により基板を吸着させると、静電チャックプレート１１０に残留電荷が発生する場合がある。残留電荷は静電吸着力を発生させるので、その静電吸着力の影響により、静電チャックプレート１１０上から基板１０８を着脱させるときにはチャック電極１１１a、１１１bに電圧が印加されていないのに、基板が静電チャックプレート１１０上で飛び跳ね、基板昇降機構１３８上から脱落したり、基板昇降機構１３８上で位置ズレしたりする場合がある。
【００１２】
上記のように残留電荷が存在していると、静電チャックプレート１１０に基板を着脱する際に、残留電荷に起因する静電誘導によって、直流電源１３６ａ、１３６ｂに電流が流れることが知られている。また、基板載置後、直流電源１３６a、１３６bをＯＮ／ＯＦＦして基板を吸着、脱着する際にも過渡電流が流れることも知られている。
【００１３】
図６(ａ)は、基板１０８が正常に着脱された場合に流れる電流の一例を電流計１３４a、１３４bで測定したグラフである。このグラフでは、時刻ｓ1において静電チャックプレート１１０上に基板１０８が吸着されており、次いで、時刻ｓ2において直流電源１３６a、１３６bがＯＦＦにされ、基板１０８の吸着が終了している。時刻ｓ1、ｓ2における基板１０８の吸着がオン、オフする際に、それぞれ符号Ｉ0、Ｉ1で示した値の過渡電流が流れている。
【００１４】
上記電流値Ｉ0、Ｉ1は、基板１０８の着脱が正常に行われた場合であるが、この電流曲線の形状を解析すると、基板と静電チャックプレート間に流入する電荷量が求まり、その値からチャック力を導出できることが知られている(特開平１０−１２７０７２)。図６(ａ)の時刻ｓ3において、基板１０８が静電チャックプレート１１０から持ち上げられている。その際上記で述べた残留電荷に起因するパルス電流(図では符号Ｉ2で示す電流)が流れている。残留電荷量が大きくなると、電流パルスの値(正確にはその積分値)も大きくなるため、リフトアップ時に残留吸着力により基板がずれてしまう危険性を予知することができる。また、リフトアップ時に基板がずれた場合には、電流パルスの波形が正常にシフトアップした時と異なるために、その状態を検知することができる(特願平９−１５０２１２)。
【００１５】
従って、予め正常時の波形及び電流値を記録しておき、その電流と、実際に基板が吸着あるいは脱離したときに流れた電流とを比較すると、逆に、基板の吸着、脱離が正常に行われたか否かを知ることができる。
【００１６】
ところが、プラズマを用いるドライエッチング装置等においては、エッチングの高速化や高アスペクト比化のために、基板に高周波電圧を印加する真空処理装置が用いられている。
【００１７】
そのような真空処理装置では、一般に、静電チャックプレートを介して基板に直接高周波電圧が印加されたり、又は、台座と静電チャックプレートを介して基板に高周波電圧が印加されるように構成されている。
【００１８】
図５の符号１０５は、そのような真空処理装置を示しており、真空槽１４０底壁上に、台座１４３と静電チャックプレート１２０とがこの順に配置されている。
【００１９】
真空槽１４０外部には、高周波電源１４２と、直流電源１４６a、１４６bと、高周波除去フィルタ１４５a、１４５bとが配置されており、台座１４３は、高周波電源１４２に接続されている。
【００２０】
静電チャックプレート１２０内には、２枚のチャック電極１２１a、１２１bが設けられており、各チャック電極１２１a、１２１bは、高周波除去フィルタ１４５a、１４５bを介して直流電源１４６a、１４６bに接続されている。
【００２１】
静電チャックプレート１２０及び台座１４３内には、基板昇降機構１４８が配置されており、基板昇降機構１４８を用い、基板１０９を静電チャックプレート１２０上に載置し、直流電源１４６a、１４６bを起動し、チャック電極１２１a、１２１bに正負の電圧を印加し、基板１０９を静電チャックプレート１２０表面に吸着すると共に、真空槽１４０内に所望のガスを導入すると共に、高周波電源１４２を起動し、台座１４３に高周波電圧を印加すると、台座１４３及び静電チャックプレート１２０を介して、基板１０９に高周波電圧が印加され、導入ガスのプラズマが、基板１０９表面近傍に高密度に生成される。
【００２２】
その際、チャック電極１２１a、１２１bにも高周波電圧が印加されるが、この真空処理装置１０４では、チャック電極１２１a、１２１bと直流電源１４６a、１４６bの間に、高周波除去フィルタ１４５a、１４５bが挿入されており、チャック電極１２１a、１２１bに印加された高周波電圧は高周波除去フィルタ１４５a、１４５b内のコイル１５１a、１５１b及びコンデンサ１５２a、１５２bによって除去され、直流電源１４６a、１４６b内に侵入しないようになっている。
【００２３】
しかし、上記の真空処理装置１０５において、チャック電極１２１a、１２１bと直流電源１４６a、１４６bの間に電流計１４６a、１４６bを挿入し、基板１０９の吸着状態や残留電荷による吸着状態を検出しようとする場合には、先に記した電流が、高周波除去フィルタ１４５a、１４５bを通って流れる。
【００２４】
高周波除去フィルタ１４５a、１４５b内には、コイル１５１a、１５１bが存在するため、電流がパルス状に流れる場合(時間変化して流れる場合)には、下記のような逆向きの起電力Ｖrが発生してしまう。
【００２５】
Ｖr ＝ −Ｌs・ｄｉ／ｄｔ(Ｌs：コイルの自己インダクタンス値)
上記のような起電力Ｖrが発生すると、その影響による電流が流れ、その電流がまた起電力を発生させるため、図６(ｂ)のグラフに示すように、基板が吸着及び脱離する際に流れる電流が振動してしまう。
【００２６】
また、高周波除去フィルタ１４５a、１４５b内には、接地されたコンデンサ１５２a、１５２bが存在するため、直流電源１４６a、１４６bがＯＮした時に流れる電流のピーク値が大きくなり、いずれにしろ、高周波除去フィルタ１４５a、１４５bが挿入されている場合には、挿入されていない場合とは異なる波形、電流値の電流が流れるため、吸着状態及び脱離状態の判断や、残留電荷の定量的な評価が行えなくなってしまう。
【００２７】
【発明が解決しようとする課題】
本発明は上記従来技術の課題を解決するために創作されたものであり、その目的は、高周波除去フィルタを有する真空処理装置においても、基板の吸着状態や脱離状態を正確に判断できる技術を提供することにある。
【００２８】
【課題を解決するための手段】
上記課題を解決するために、請求項１記載の発明は、静電チャックプレートと、フィルタ装置と、直流電源とを有し、前記静電チャックプレート内に設けられたチャック電極が、前記フィルタ装置を介して前記直流電源に接続され、前記直流電源によって前記チャック電極に電圧を印加すると、前記静電チャックプレート上に載置された基板を静電吸着できるように構成された真空処理装置であって、前記フィルタ装置は、高周波除去フィルタとバイパススイッチとを有し、前記高周波除去フィルタは、前記直流電源の出力と前記チャック電極の間に挿入され、前記バイパススイッチは、前記高周波除去フィルタに並列接続され、該バイパススイッチを閉成状態にすると、該バイパススイッチを介して、前記直流電源の電圧を前記チャック電極に印加できるように構成されたことを特徴とする。
【００２９】
請求項２記載の発明は、請求項１記載の真空処理装置であって、前記高周波除去フィルタには切断スイッチが設けられ、該切断スイッチを開放状態にすると、前記高周波除去フィルタを、前記直流電源又は前記静電チャックプレートのいずれか一方又は両方から切り離せるように構成されたことを特徴とする。
【００３０】
請求項３記載の発明は、請求項１又は請求項２のいずれか１項記載の真空処理装置を用い、前記バイパススイッチを開放状態にし、前記直流電源によって前記チャック電極に直流電圧を印加し、基板を前記静電チャックプレート上に静電吸着しながら前記基板に高周波電圧を印加し、前記基板表面にプラズマを発生させ、前記基板の処理を行う真空処理方法であって、前記静電チャックプレート上に前記基板を載置する場合、又は前記静電チャックプレート上から前記基板を脱離させる場合のいずれか一方又は両方の場合において、前記バイパススイッチを閉成状態にし、前記直流電源に流出入する電流を測定し、前記基板の状態を判断することを特徴とする。
【００３１】
請求項４記載の発明は、請求項３記載の真空処理方法であって、前記直流電源に流出入する電流を測定する際に、前記切断スイッチを開放状態にすることを特徴とする。
【００３２】
本発明は上記のように構成されており、静電チャックプレートと、フィルタ装置と、直流電源とを有しており、静電チャックプレート内に設けられたチャック電極が、フィルタ装置を介して直流電源に接続されている。
【００３３】
フィルタ装置内には、直流電源の出力とチャック電極の間に挿入された高周波除去フィルタが設けられており、従って、静電チャックプレート上に基板を載置し、直流電源を起動すると、高周波除去フィルタを介してチャック電極に直流電圧が印加させることができる。
【００３４】
その結果、基板を静電チャックプレート上に静電吸着した状態で、基板に高周波電圧を印加しても、その高周波電圧は高周波除去フィルタによって除去されるので、直流電源に高周波電圧が侵入しないようになっている。
【００３５】
そして、フィルタ装置内には、高周波除去フィルタに対してバイパススイッチが並列接続されている。従って、基板に高周波電圧が印加されない場合には、バイパススイッチを閉成状態にすると、高周波除去フィルタの両端が短絡し、基板着脱の際の電流が、バイパススイッチを通って直流電源に流出入するので、高周波除去フィルタの影響がない状態で電流測定を行うことができる。その結果、着脱の際の電流を測定することで、基板が正常に載置又は脱離されたか否かを正確に判断することができる。
【００３６】
高周波除去フィルタ内に、接地電位に接続されたコンデンサが設けられている場合には、高周波除去フィルタに切断スイッチを設けておき、着脱時の電流を測定する際には、高周波除去フィルタを電流が流れる経路から取り外しておくと、コンデンサの影響が無くなり、着脱の際に流れる電流を正確に測定することが可能になる。
【００３７】
高周波除去フィルタを直流電源とチャック電極の間に挿入し、又は取り外す際には、バイパススイッチを閉成状態にしておくと、チャック電極には直流電圧が印加され続けるので、静電チャックプレート上に載置された基板が不安定になることはない。
【００３８】
【発明の実施の形態】
本発明の一実施形態を、図面を用いて説明する。
図１の符号２は、本発明の一例の真空処理装置を示している。この真空処理装置２は、接地電位に接続された真空槽４０を有しており、該真空槽４０の底壁上には、台座４３が設けられている。その台座４３上には、内部に２枚のチャック電極２１a、２１bを有する双極型の静電チャックプレート２０が配置されている。
【００３９】
この静電チャックプレート２０及び台座４３内には、基板昇降機構４８が配置されており、真空槽４０内の真空雰囲気を維持したまま、静電チャックプレート２０上に、基板を着脱(載置及び離脱)させられるように構成されている。
【００４０】
真空槽４０の外部には、高周波電源４２が配置されており、該高周波電源４２は、台座４３に接続されている。
【００４１】
また、真空槽４０の外部には、電流計４４a、４４bと、フィルタ装置１０a、１０bと、直流電源４６a、４６bが２台ずつ配置されている。
【００４２】
各チャック電極２１a、２１bは、電流計４４a、４４bと、フィルタ装置１０a、１０bとを介して直流電源４６a、４６bに接続されている。
【００４３】
各フィルタ装置１０a、１０b内には、高周波除去フィルタ４５a、４５bと、バイパススイッチ８a、８bが１個ずつと、また、切断スイッチ６a、７a、６b、７bが２個ずつ設けられている。
【００４４】
各２個の切断スイッチ６a、７a、６b、７bのうち、一方の切断スイッチ６a、６bは高周波除去フィルタ４５a、４５bの一端に接続されており、また、高周波除去フィルタ４５a、４５bの他端は、他方の切断スイッチ７a、７bに接続されている。従って、切断スイッチ６a、７a、高周波除去フィルタ４５a、４５b、切断スイッチ６b、７bは、この順序で直列接続されており、各切断スイッチ６a、６b、７a、７bを閉成状態にすると、電流計４４a、４４bと直流電源４６a、４６bとの間が、高周波除去フィルタ４５a、４５bを介して接続されるように構成されている。
【００４５】
この高周波除去フィルタ４５a、４５bの内部には、コイル５１a、５１bと、コンデンサ５２a、５２bとが設けられている。高周波除去フィルタ４５a、４５bの内部では、コイル５１a、５１bが、切断スイッチ６a、６b、７a、７b間を接続するように構成されており、また、コイル５１a、５１bと直流電源４６a、４６b側の切断スイッチ７a、７bとの接続部分には、接地されたコンデンサ５２a、５２bが接続されている。
【００４６】
このような構成により、直流電源４６a、４６bが出力する直流電圧は、高周波除去フィルタ４５a、４５b内のコイル５１a、５１bを介してチャック電極２１a、２１bに印加され、他方、後記するように、チャック電極２１a、２１bに印加された高周波電圧は、コイル５１a、５１b及びコンデンサ５２a、５２bによって除去され、直流電源４６a、４６bには侵入しないようになっている。
【００４７】
また、これら短絡スイッチ６a、６b、７a、７bと高周波除去フィルタ４５a、４５bとが構成する直列回路に対し、バイパススイッチ８a、８bが並列接続されており、バイパススイッチ８a、８bを閉成状態にすると、チャック電極２１a、２１b及び電流計４４a、４４bを、高周波除去フィルタ４５a、４５bを介さずに、直流電源４６a、４６bに直結できるように構成されている。
【００４８】
以上のような真空処理装置２を用い、複数の基板を連続的に処理する場合を説明する。静電チャックプレート２０上に処理が終了した基板が載置されている場合には、先ず、基板昇降機構４８を動作させ、その基板を静電チャックプレート２０上から脱離させ、図示しない基板搬送ロボットを用いて真空槽４０外に搬出した後、未処理の基板８を搬入する。
【００４９】
真空槽４０外部には、各スイッチ６a、６b、７a、７b、８a、８bの開閉状態と、直流電源４６a、４６b、高周波電源４２、及び基板昇降機構４８の動作や真空槽４０内へのガス導入を制御する制御装置４が配置されている。この制御装置４により、図２のタイミングチャートに沿って真空処理が自動的に進められる。
【００５０】
真空槽４０内に未処理の基板８が搬入されるときには、制御装置４によって、バイパススイッチ８a、８bが閉成状態にされており、切断スイッチ６a、６b、７a、７bは開放状態にされている(図２の時刻ｔ1以前)。
【００５１】
このとき、高周波除去フィルタ４５a、４５bの両端は開放されており、チャック電極２１a、２１bは、バイパススイッチ８a、８bを介して直流電源４６a、４６bに接続されている。
【００５２】
その状態で基板昇降機構４８が動作し、基板８が静電チャックプレート２０上に載置された後、直流電源４６a、４６bが起動すると(図２の時刻ｔ1)、静電チャックプレート２０と基板８の吸着により過渡電流が、バイパススイッチ８a、８bと電流計４４a、４４bを通って流れる。
【００５３】
その電流は、電流計４４a、４４bによって測定される。この場合、静電チャックに起因する電流は高周波除去フィルタ４５a、４５bを通らないため、波形が歪まず、コンデンサの影響を受けないため、電流値も正確に測定することができる。測定された電流は、制御装置４内に予め記憶されていた電流の波形及び電流値と比較され、その比較結果により、基板８の載置が正常に行われたか否かが判断される。異常と判断された場合には、警報が出力され、真空処理が中断される。
【００５４】
正常と判断された場合には、切断スイッチ６a、６b、７a、７bが閉成状態にされ(図２の時刻ｔ2)、次いで、バイパススイッチ８a、８bが開放状態にされ(図２の時刻ｔ3)、チャック電極２１a、２１bが、高周波除去フィルタ４５a、４５bを介して、直流電源４６a、４６bに接続された状態になる。
【００５５】
この状態では、チャック電極２１a、２１bには、高周波除去フィルタ４５a、４５bを介して直流電圧が印加されており、基板８は、静電チャックプレート２０表面に静電吸着される。
【００５６】
次いで、制御装置４により、真空槽４０内にエッチングガス等の処理ガスが導入された後、高周波電源４２が起動され、台座４３に高周波電圧が印加される(図２の時刻ｔ4)。すると、静電チャックプレート２０を介して、基板８に高周波電圧が印加される。その結果、基板８表面近傍に処理ガスのプラズマが生成され、基板８表面が高密度のプラズマで処理される。
【００５７】
このとき、基板８は静電チャックプレート２０表面に静電吸着されているので、静電チャックプレート２０との間の熱抵抗が小さく、台座４３内のヒータや冷却装置によって精度よく温度制御することができる。
【００５８】
また、チャック電極２１a、２１bと直流電源４６a、４６b間には、高周波除去フィルタ４５a、４５bが挿入されているので、チャック電極２１a、２１bに印加された高周波電圧は、高周波除去フィルタ４５a、４５bによって除去され、直流電源４６a、４６bに侵入しないようになっている。
【００５９】
上記のような高周波電圧を用いた真空処理が終了すると、高周波電源４２が停止され(図２の時刻ｔ5)、次いで、バイパススイッチ８a、８bが閉成状態にされると(図２の時刻ｔ6)、チャック電極２１a、２１bに、バイパススイッチ８a、８bを介して直流電圧が印加される。次いで、切断スイッチ６a、６b、７a、７bが開放状態にされると(図２の時刻ｔ7)、高周波除去フィルタ４５a、４５bは、直流電圧が印加される経路から切り離される。
【００６０】
以上により、真空処理が開始してから高周波除去フィルタ４５a、４５bが切り離されるまでの間、基板８は静電吸着された状態が維持される。
【００６１】
最後に、直流電源４６a、４６bが停止され(停止状態では、直流電源４６a、４６bの両端は短絡している。)(時刻ｔ8)、基板昇降機構４８の動作によって、基板８を静電チャックプレート２０上から持ち上げられる(脱離される)と、基板８及び静電チャックプレート２０に残留電荷が存する場合には、直流電源４６a、４６bに電流が流出入する。
【００６２】
この状態は、基板８が載置されたときと同様に、チャック電極２１a、２１bは、バイパススイッチ８a、８bを介して直流電源４６a、４６bに接続されており、残留電荷に起因する電流は高周波除去フィルタ４５a、４５bを通らない。従って、電流計４４a、４４bによって測定される電流の波形は歪んでおらず、また、電流値も正確である。
【００６３】
制御装置４により、測定された電流の波形及び電流値は、予め記憶されていた電流と比較され、基板８の脱離が正常に行われたか否かが判断される。
【００６４】
以上説明したように、本発明によれば、真空処理が行われるときには、チャック電極２１a、２１bと直流電源４６a、４６bとの間は、高周波除去フィルタ４５a、４５bを介して接続されるので、チャック電極２１a、２１bに高周波電圧が印加されても、その高周波電圧は直流電源４６a、４６bには侵入せず、直流電源４６a、４６bが破壊されたり劣化したりしないようになっている。
【００６５】
他方、基板８が静電チャックプレート２０表面に吸着される場合と、それが解除される場合、及び静電チャックプレートから着脱される際には、チャック電極２１a、２１bと直流電源４６a、４６bとは、バイパススイッチ８a、８bによって直結されるので、流れる電流の波形が歪まず、また、電流値を正確に測定できるので、基板８の吸着及び脱離状態を正確に検出できるようになっている。
【００６６】
なお、図２のタイミングチャートでは、基板８が静電チャックプレート上に存しない場合、チャック電極２１a、２１bは、バイパススイッチ８a、８bを介して直流電源４６a、４６bに接続されていたが(このとき、直流電源４６a、４６bは停止している。)、図３のタイミングチャートに示すように、バイパススイッチ８a、８bを開放状態、切断スイッチ６a、６b、７a、７bを閉成状態にし、高周波除去フィルタ４５a、４５bによって、直流電源４６a、４６bに接続させてもよい。
【００６７】
要するに、本発明は、チャック電極２１a、２１bに高周波電圧が印加されるときは、直流電源４６a、４６bとチャック電極２１a、２１bの間に高周波除去フィルタ４５a、４５bを挿入させ、基板が吸着する際や基板が脱離する際には、チャック電極２１a、２１bと直流電源４６a、４６bを直結させ、吸着、脱離時に流れる電流により、基板の状態を判断できる真空処理装置を広く含むものである。
【００６８】
なお、以上は２個のチャック電極２１a、２１bを有する双極型の静電チャックプレート２０を有する真空処理装置２について説明したが、チャック電極を１個しか有しない単極型の静電チャックプレートを用いた真空処理装置も本発明に含まれる。
【００６９】
また、上記実施例では高周波電圧を台座４３に印加する図で説明したが、本発明はフィルター装置１０ａ、１０ｂとチャック電極２１ａ、２１ｂとの間に接続し、チャック電極自身に高周波電圧を重畳する場合においても同様の効果を与える。
【００７０】
【発明の効果】
高周波除去フィルタを用いた場合でも、基板着脱の状態を正確に知ることができる。
【図面の簡単な説明】
【図１】本発明の真空処理装置の一例を示す概略構成図
【図２】その真空処理装置の動作の一例を説明するためのタイミングチャート
【図３】その動作の他の例を説明するためのタイミングチャート
【図４】基板着脱状態を知ることができるが、基板に高周波電圧を印加できない従来技術の真空処理装置
【図５】基板に高周波電圧を印加できるが、基板着脱状態を正確に知ることができない従来技術の真空処理装置
【図６】(ａ)：図４の真空処理装置の基板吸着時及び基板脱離時に流れる電流を示すグラフ
(ｂ)：図５の真空処理装置の基板吸着及び着脱時に流れる電流を示すグラフ
【符号の説明】
２……真空処理装置
４……制御装置
６a、６b、７a、７b……切断スイッチ
８a、８b……バイパススイッチ
１０a、１０b……フィルタ装置
２０……静電チャックプレート
２１a、２１b……チャック電極
４２……高周波電源
４５a、４５b……高周波除去フィルタ
４６a、４６b……直流電源
【図１】
0004169839.tif 000002
【図２】
0004169839.tif 000003
【図３】
0004169839.tif 000004
【図４】
0004169839.tif 000005
【図５】
0004169839.tif 000006
【図６】
0004169839.tif 000007